(57)【特許請求の範囲】
【請求項１】
光ファイバ（４１、１０４、１１４）を収納するケース状のモジュール本体（３０）の一側部に、前記光ファイバをコネクタ接続可能に成端する光コネクタ（４０）が取り付けられてなる光モジュールにおいて、
前記モジュール本体内に、前記光ファイバの途中に設けられた分岐部、引き留め用の部品、および光カプラなどの光素子等のうち少なくとも１つである光部品（３８、４３、１１３、１１４ｅ）を支持するホルダ部（２６、２９、２４、２５）が設けられ、
前記モジュール本体の内部は、仕切材（３６）によって厚さ方向に仕切られ、この仕切材を介して出力側収納空間（２１）と入力側収納空間（２２）とに画成され、
前記光ファイバは、前記入力側収納空間を経て前記出力側収納空間に導入されて前記光コネクタにより成端され、
前記ホルダ部は、前記出力側収納空間と前記入力側収納空間にそれぞれ設けられ、各収納空間において、前記ホルダ部のうち少なくとも１つは、前記光部品を支持するホルダ（２８、２５ａ）が後付け可能なホルダ取付部（２６、２５）として機能できることを特徴とする光モジュール（２０、２０ａ、２０ｂ、２０ｃ）。
【請求項２】
請求項１記載の光モジュールのモジュール本体内における光ファイバの分岐数や分岐形態等に対応して、前記モジュール本体内の前記ホルダ部や、ホルダ取付部に取り付けたホルダを選択的に用いて、前記光部品を保持するようになっていることを特徴とする光配線方式。
【請求項３】
請求項１記載の光モジュールを横並びに複数収納するユニットフレーム（１０８）を備え、このユニットフレームでは、前記光モジュールが、前記モジュール本体において前記光コネクタが設けられたコネクタ取付壁（３４）を前記ユニットフレームの一側部に設けられた作業面側に露出させる向きで横並びに複数収納され、しかも、光分岐器（１１３）を収納した前記光モジュールの前記コネクタ取付壁に開口された配線口（３５）から、前記光分岐器によって複数に分岐された分岐光ファイバ（１１４ｂ）が前記光コネクタによってコネクタ接続可能に成端されてなる光ファイバが引き出され、前記配線口から引き出された光ファイバが前記ユニットフレーム内の別の光モジュールの前記光コネクタに対して前記作業面側からコネクタ接続可能になっていることを特徴とする光配線ユニット（８０、８３、８４）。
【発明の詳細な説明】
【０００１】
【発明の属する技術分野】
本発明は、光モジュールおよび光配線方式および光配線ユニットに関するものである。
【０００２】
【従来の技術】
光配線盤などの架体や光接続箱といった各種光配線ユニットにあっては、光ファイバを収納する外観薄板ケース状の光モジュールを複数搭載し、この光モジュールの一側部に実装され、前記光モジュール内の光ファイバをコネクタ接続可能に成端した光コネクタに対して、別の光ファイバをコネクタ接続することで、前記光コネクタを介して光ファイバ同士を切替可能に接続する構成が広く採用されている。
図２４（ａ）、（ｂ）は、光配線盤の一例を示す。
図２４（ａ）、（ｂ）において、光配線盤７０は、外観薄板ケース状の光モジュール１を縦置き横並びに複数配列状態に収納したユニット７１を上下に多段に搭載した構成になっている。ユニット７１の一側部である切替接続作業面側には、各光モジュール１の一側部に設けられた光コネクタ３（光コネクタアダプタ）が配列される。各光モジュール１は、他側部から引き込まれた光ファイバ４を内部に収納するとともに、この光ファイバ４を前記光コネクタ３によってコネクタ接続可能に成端するようになっている。そして、光コネクタ７２（光コネクタプラグ）によってコネクタ接続可能に成端された別の光ファイバ７３を、前記ユニット７１の前記切替接続作業面から前記光コネクタ３に接続することで、前記光コネクタ３を介して光ファイバ４、７３同士が切替可能に接続されるようになっている。
【０００３】
図２５（ａ）、（ｂ）、（ｃ）は従来例の光モジュールを示す。
図２５（ａ）、（ｂ）、（ｃ）において、光モジュール１は、外観薄板ケース状のモジュール本体２の一側部に実装された光コネクタ３によって、前記モジュール本体２内に引き込まれた光ファイバ４をコネクタ接続可能に成端するようになっている。前記モジュール本体２の内部は、仕切材５によってその厚さ方向に仕切られている。前記仕切材５の一側に画成された収納空間６には前記光ファイバ４の余長が湾曲収納され、前記仕切材５の他側に画成された収納空間７には前記光コネクタ３と接続された内部光ファイバ８と前記光ファイバ４との光接続部９（光コネクタ、融着接続部等）が収納される。内部光ファイバ８の一端は、例えば１：４、１：８等に分岐されており、前記光ファイバ４先端を、前記内部光ファイバ８の分岐されていない側の端部と接続することで、前記光ファイバ４が光コネクタ３に対して複数に分岐して接続されるようになっている。光モジュール１に引き込まれた光ファイバ４の端末が、光コネクタ（光コネクタプラグ）によってコネクタ接続可能に成端されている複数の光ファイバに分岐され、分岐された各光ファイバによって光コネクタ３に対して光モジュール１内側からコネクタ接続可能になっている場合は、分岐された複数の光ファイバを直接光コネクタ３に接続することで、内部光ファイバ８との接続を省略できる。
途中に介在された光カプラ等の光部品により端末が分岐された光ファイバ４をを収納する場合、前記光カプラ等の光部品も、収納空間７内に収納される。但し、光カプラ等の光部品を収納する場合、光部品を安定保持できるホルダ等を備えた光モジュール１を用いる必要がある。
両収納空間６、７間が仕切材５によって仕切られていることで、例えば、収納空間６内の光ファイバ４の余長の取り出し等の作業を、別の収納空間７内に収納されている光ファイバ、光接続部９や前記光カプラ等の光部品と干渉すること無く、効率良く行える等の利点がある。なお、光ファイバ４は、仕切材５に開口された連通穴１０を介して、両収納空間６、７間に連通されるようになっている。モジュール本体２は、一側部に着脱自在に設けられた蓋１１によって開閉されるトレー状であり、前記蓋１１を取り外すことで、まず、収納空間６を開放することができ、また、収納空間６を開放した状態にて、前記モジュール本体２とは別体のシート等からなる前記仕切材５を取り出すことで、収納空間７を開放することができ、これにより光ファイバ４や、光接続部９の収納、取り出し等の作業を行える。前記蓋１１は、モジュール本体２に対して係脱自在の弾性爪１１ａにより開閉自在（着脱自在）になっている。
【０００４】
【発明が解決しようとする課題】
ところで、従来は、収納する光部品の種類やサイズ、モジュール本体２内での光ファイバ４、８の分岐数、分岐形態等に対応して、専用の光モジュールを用いることが一般的であり、多数種類の光モジュールを用意する必要があった。光カプラ等の光素子に限らず、光ファイバの途中への引留部品の取り付けの有無等も、光ファイバの分岐数、分岐形態等によって決まるため、これにも対応できる光モジュールを用意する必要がある。このため、例えば、プラスチック等の樹脂製の光モジュールの成形用の金型も複数種類必要になるなど、コストの上昇が避けられなくなる。また、複数種類の光モジュールの使用に鑑みて、光モジュールを収納するユニットも複数種類用意するとなると、コストが大きく上昇することになる上、光モジュールの種類に対応して複数のユニットを光配線盤に搭載するとなると、光配線盤の大型化を招く。複数種類の光モジュールの構造に対応し得るユニット構造としても、構造が複雑になり、低コスト化が困難になるといった問題があった。
【０００５】
本発明は、前述の課題に鑑みてなされたもので、内部に収納した光ファイバの分岐数、分岐形態、内部に収納する光部品の種類等に対応して優れた汎用性を発揮し、低コスト化を実現できる光モジュールおよび光配線方式および光配線ユニットを提供することを目的とする。
【０００６】
【課題を解決するための手段】
本発明では、光ファイバを収納するケース状のモジュール本体の一側部に、前記光ファイバをコネクタ接続可能に成端する光コネクタが取り付けられてなる光モジュールにおいて、前記モジュール本体内に、前記光ファイバの途中に設けられた分岐部、引き留め用の部品、および光カプラなどの光素子等のうち少なくとも１つである光部品を支持するホルダ部が設けられ、前記モジュール本体の内部は、仕切材によって厚さ方向に仕切られ、この仕切材を介して出力側収納空間と入力側収納空間とに画成され、前記光ファイバは、前記入力側収納空間を経て前記出力側収納空間に導入されて前記光コネクタにより成端され、前記ホルダ部は、前記出力側収納空間と前記入力側収納空間にそれぞれ設けられ、各収納空間において、前記ホルダ部のうち少なくとも１つは、前記光部品を支持するホルダが後付け可能なホルダ取付部として機能できることを特徴とする光モジュールを前記課題の解決手段とした。
請求項２記載の光配線方式は、請求項１記載の光モジュールのモジュール本体内における光ファイバの分岐数や分岐形態等に対応して、前記モジュール本体内の前記ホルダ部や、ホルダ取付部に取り付けたホルダを選択的に用いて、前記光部品を保持するようになっていることを特徴とする。
請求項３記載の光配線ユニットは、前記請求項１記載の光モジュールを横並びに複数収納するユニットフレームを備え、このユニットフレームでは、前記光モジュールが、前記モジュール本体において前記光コネクタが設けられたコネクタ取付壁を前記ユニットフレームの一側部に設けられた作業面側に露出させる向きで横並びに複数収納され、しかも、光分岐器を収納した前記光モジュールの前記コネクタ取付壁に開口された配線口から、前記光分岐器によって複数に分岐された分岐光ファイバが前記光コネクタによってコネクタ接続可能に成端されてなる光ファイバが引き出され、前記配線口から引き出された光ファイバが前記ユニットフレーム内の別の光モジュールの前記光コネクタに対して前記作業面側からコネクタ接続可能になっていることを特徴とする。
【０００７】
【発明の実施の形態】
以下、本発明の１実施の形態を図面を参照して説明する。
図１は、本発明に係る光配線ユニット８０としての光配線盤を示す図であって、（ａ）は平面図、（ｂ）は正面図である。
図１に示すように、光配線ユニット８０（以下「光配線盤８０」と称する場合がある）は、成端ユニット８１が上下に多段に搭載されてなる成端架体８２と、接続ユニット８３が上下に多段に搭載されてなる接続架体８４とを、横並びに連設した構成になっている。
【０００８】
図２（ａ）〜（ｃ）は成端ユニット８１を示す図であって、（ａ）は平面図、（ｂ）は正面図、（ｃ）は側面図である。図３は、成端架体８２に設けられたユニット取付フレーム８２ａを示す正面図、図４はユニット取付フレーム８２ａに対する成端ユニット８１の取付構造を示す分解斜視図である。
図２（ａ）〜（ｃ）から図４において、成端ユニット８１は、外観薄板ケース状の成端用光モジュール２０ａ（以下「成端モジュール２０ａ」と称する場合がある）を、縦置き横並びに複数配列収納する枠状のユニットフレーム８５を備え、固定部品８２ｂ（図４参照）によって前記ユニット取付フレーム８２ａに着脱自在に取り付けることで成端架体８２に搭載されるようになっている。前記ユニット取付フレーム８２ａは、具体的には、成端架体８２の背面板８２ｃに固定されて２本平行に上下に延在されている。前記ユニットフレーム８５は、各ユニット取付フレーム８２ａの対向する内面側に多段に突設されたガイド部材８２ｅに載せ、成端架体８２の奥行き方向、すなわち、図１（ｂ）中紙面奥行き方向、図３中紙面奥行き方向、図４中紙面左手前から右奥方向にスライドさせて成端架体８２内に挿入し、該ユニットフレーム８５の左右両側部に突設された固定部８５ａを、それぞれ固定部品８２ｂによってユニット取付フレーム８２ａに固定することで成端架体８２の目的位置に搭載される。本実施の形態において、前記固定部品８２ｂとしては、具体的には、ユニット取付フレーム８２ａのネジ穴８２ｆに着脱自在に螺着されるネジであり、この固定部品８２ｂのユニット取付フレーム８２ａに対する締結を解除すれば、成端ユニット８１を成端架体８２から作業面側、つまり、図１（ｂ）中紙面手前、図３中紙面手前、図４中紙面左手前に引き出すことができる。
【０００９】
前記成端ユニット８１は、成端モジュール２０ａを、前記ユニットフレーム８５に対して作業面側、すなわち、図１（ｂ）中紙面手前、図２（ａ）中下側、図２（ｂ）紙面手前側、図２（ｃ）中左側へ引出可能に収納する前記ユニットフレーム８５と、このユニットフレーム８５の上部に搭載された接続部収納棚８６と、前記ユニットフレーム８５の作業面側に設けられた配線ダクト８７とを備えて構成されている。前記接続部収納棚８６はユニットフレーム８５の上部から作業面側に引き出し可能に設けられ、前記配線ダクト８７はユニットフレーム８５の下部から作業面側に突出状態に設けられている。
【００１０】
前記成端ユニット８１では、前記ユニットフレーム８５の上下に対向配置されたプレート状の１対のレール部材９５、９６間にて、光モジュール２０ａをスライド移動可能に支持することで、前記光モジュール２０ａを作業面側に引き出し可能に収納している。上下のレール部材９５、９６には、作業面側からの奥行き方向に延在するガイド溝９５ａ、９６ａが複数並列に形成されており、ユニットフレーム８５に収納された光モジュールは、上下のいずれか一方あるいは両側に突設された位置決め片を前記ガイド溝９５ａ、９６ａを挿入することで、接続ユニット８３に対する収納、作業面側への引き出しを、円滑なスライド移動によって行えるようになっている。図１６（ａ）、（ｂ）に示す成端モジュール２０ａでは、下壁部５６側に装着された取付板部５３（図８（ｂ）も参照）が位置決め片として、下側のレール部材９６のガイド溝９６ａに挿入される。この光モジュール２０ａは、上端側（上壁部５５側）にガイド溝９５ａに挿入される位置決め片を備えていないが、成端ユニット８１に収納する光モジュールとしては、上下両端に位置決め片を備えたものを採用することができる。また、前記光モジュール２０ａは、上壁部５５からコネクタ取付壁３４側に延出されたラッチ５５ａに突設された突起５５ｂを、上側のレール部材９５に形成された係合凹所（図示せず）に係脱自在に係合することで、成端ユニット８１内の所定位置に安定収納され、作業面側に突出された前記ラッチ５５ａの操作（下押し操作と引き出し操作）により前記係合凹所との係合を解除することで、作業面側に引き出し可能となる。
【００１１】
図１（ａ）、（ｂ）に示すように、成端架体８２の外部フレーム８８に設けられた光ファイバ導入部８９から成端架体８２内に導入された光ファイバ９０は、成端架体８２の一側部（図１中左側）に確保された空間である余長吸収部９１に配線されて、目的の成端ユニット８１に振り分け配線される。前記光ファイバ導入部８９には多数の引留部材８９ａが突設されており、前記光ファイバ９０を結束部材（紐等）等を用いて前記引留部材８９ａに固定して引き留めるようになっている。
前記光ファイバ成端架体８２は、成端ユニット８１が上下に多段に搭載されるユニット搭載部９２を中央部に備えており、前記余長吸収部９１は、該ユニット搭載部９２を介して接続架体８３に対して対向する反対側の側部に確保されている。また、余長吸収部９１では、複数箇所に設けられた湾曲ガイド９３に光ファイバ９０を引っ掛けるようにして配線することで光ファイバ９０の余長が吸収される。
なお、図１（ａ）、（ｂ）においては、光ファイバ導入部８９は、外部フレーム８８の上部に設けられているが、光ファイバ導入部の設置位置はこれに限定されず、成端架体８２の下部等であっても良い。
【００１２】
図２（ａ）〜（ｃ）に示すように、前記接続部収納棚８６の中央部に設けられた接続部ホルダ８６ａには、成端ユニット８１に引き込まれた光ファイバ９０と、光モジュール２０ａから引き出された光ファイバ４１との光接続部９４が取り出し可能にクランプ保持される。前記光接続部９４としては、融着接続部、光コネクタ等、各種構成が採用可能である。光ファイバ９０は、接続部収納棚８６にその一側部（図２（ａ）中左側、図２（ｂ）中左側）から引き込まれ、光モジュール２０ａ側の光ファイバ４１は、接続部収納棚８６にその他側部（図２（ａ）中右側、図２（ｂ）中右側）から引き込まれている。
この接続部収納棚８６に引き込まれる光ファイバ９０、４１は、接続部収納棚８６の正面視（作業面側から見た向き）左右両側部に設けられたクランプ８６ｂによって引き留められ、このクランプ８６ｂから下方に引き落とすようにして配線される。接続部収納棚８６は、光接続部９４の収納保持作業等の作業時以外は、ユニットフレーム８５に格納しておく。この格納状態では、光ファイバ９０、４１は、それぞれユニットフレーム８５と干渉すること無く、クランプ８６ｂから作業面側に引き出すようにして配線される。光モジュール２０ａ側の光ファイバ４１は、ユニットフレーム８５下部の配線ダクト８７の接続架体８４側の端部に設けられた湾曲ガイド８７ａ近傍から立ち上げるようにして、接続部収納棚８６に配線されている。
なお、各光モジュール２０ａは、光コネクタ４０が実装されたコネクタ取付壁３４を作業面側に向けて成端ユニット８１に収納され、前記光モジュール２０ａ側の光ファイバ４１は、前記コネクタ取付壁３４に開口された配線口３４ｂから引き出されている。
【００１３】
光モジュール２０ａ側の光ファイバ４１は、光モジュール２０ａ内にて、前記光モジュール２０ａの一側部に取り付けられた光コネクタ４０に接続されて、コネクタ接続可能に成端されている。したがって、成端ユニット８１に引き込んだ光ファイバ９０は、目的の光モジュール２０ａ側の光ファイバ４１に対して接続することで、光モジュール２０ａの光コネクタ４０によって、成端ユニット８１の作業面側から光コネクタ４０にコネクタ接続される光ファイバに対してコネクタ接続可能に成端される。
なお、光コネクタ４０としては、ここでは光コネクタアダプタであるが、これに限定されず、例えば光コネクタレセプタクル等、外側から別の光ファイバがコネクタ接続可能（光ファイバ先端の光コネクタプラグが接続可能）な各種雌形光コネクタが採用可能である。
【００１４】
図５は、成端ユニット８１での光ファイバ９０、４１同士の接続状態を示す光配線図である。
図５において、前記光ファイバ４１としては、多心光ファイバコード等である多心光ファイバ部４１ａからなる一端に対して、先端が光コネクタ４２によってコネクタ接続可能に成端された複数本の分岐光ファイバ４１ｂが、分岐部４３を介して分岐された分岐接続用光ファイバ（所謂ファンアウトコード等）であり、各分岐光ファイバ４１ｂが光コネクタアダプタである光コネクタ４０に対して光モジュール２０ａ内側からコネクタ接続されるようになっている。
【００１５】
前記湾曲ガイド８７ａは、成端架体８２と接続架体８４のユニット搭載部９２、９７間に確保された空間であるジャンパ作業部９８に臨んで設けられており、前記配線ダクト８７には、成端架体８２の成端ユニット８１と接続架体８４の接続ユニット８３との間に配線されるジャンパ用光ファイバ１００が、ジャンパ作業部９８から湾曲ガイド８７ａを経由して引き込まれる。また、湾曲ガイド８７ａ近傍には、配線ダクト８７に配線される光ファイバ９０、４１を取り出し可能にクランプするクランプ８７ｂが設けられている。
【００１６】
図１（ｂ）、図２（ｃ）に示すように、前記ジャンパ用光ファイバ１００は、成端架体８２の成端ユニット８１に収納された光モジュール２０ａの光コネクタ４０と、接続架体８４の接続ユニット８３に収納された光モジュール２０ｂ、２０ｃの光コネクタ４０との間を、切替可能に接続（ジャンパ接続）する光ファイバコード等の光ファイバであり、両端がそれぞれ光コネクタ１００ａによって、前記光モジュール２０ａ、２０ｂ側の光コネクタ４０に対してコネクタ接続可能に成端されている。前記成端ユニット８１では、前記ジャンパ用光ファイバ１００は、配線ダクト８７から引き上げるようにして、目的の光モジュール２０ａの光コネクタ４０に対して着脱可能に接続されるようになっている。
【００１７】
図１（ｂ）、図６（ａ）〜（ｃ）に示すように、接続架体８４は、枠状の外部フレーム１０１の中央部に設けられたユニット搭載部９７に、接続ユニット８３が上下に多段に搭載されるようになっている。前記接続ユニット８３は、外部フレーム１０１の背面板１０２に固定された図示しないユニット取付フレームに、ユニットフレーム１０８の左右両側の固定部１０８ａをネジ止め等の固定手段によって着脱自在に固定することで着脱可能に搭載される。
【００１８】
前記接続架体８４では、前記外部フレーム１０１に設けられた光ファイバ導入部１０３から引き込まれた光ファイバ１０４は、ユニット搭載部９７を介して前記成端架体８２と対向する反対側に確保された空間である余長吸収部１０５を経由して、前記ユニット搭載部９７の目的の接続ユニット８３に振り分け配線される。光ファイバ導入部１０３は、光ファイバ１０４を結束部材等を用いて固定するための引留部材１０３ａが複数突設された構成になっている。前記余長吸収部１０５では、複数箇所に設けられた湾曲ガイド１０６に光ファイバ１０４を引っ掛けるようにして配線することなどにより、光ファイバ１０４の余長が湾曲処理される。
【００１９】
図６（ａ）〜（ｃ）に示すように、接続ユニット８３は、外観薄板ケース状の光モジュール２０ｂ、２０ｃを縦置き横並びに複数配列収納する枠状のユニットフレーム１０８を備え、このユニットフレーム１０８の作業面側、すなわち、図６（ａ）中下側、図６（ｂ）中紙面手前側、図６（ｃ）中左側に、第１配線ダクト１０９と、第２配線ダクト１１０とを備えた構成になっている。
光モジュール２０ｂ、２０ｃは、コネクタ取付壁３４を作業面側に向けて、ユニットフレーム１０８に収納される。
なお、前記光モジュール２０ｂ、２０ｃは、内部に収納される光部品や光ファイバの分岐数等が異なり、光モジュール２０ｂ、２０ｃを構成するモジュール本体３０自体には違いは無い。また、成端ユニット８１に収納される光モジュール２０ａと、光モジュール２０ｂ、２０ｃとの違いも、内部に収納される光部品や光ファイバの分岐数、分岐形態（分岐部による多心光ファイバの単心分岐と、光カプラ等の光素子を用いた分岐との違いなど）であり、モジュール本体３０自体には違いは無い。この点は、後に詳述する。また、光モジュール２０ａ、２０ｂ、２０ｃに共通の構成部分を説明する場合は、「光モジュール２０」と称する場合がある。
【００２０】
前記接続ユニット８３では、前記ユニットフレーム１０８の上下に対向配置されたプレート状の１対のレール部材１１１、１１２間にて、光モジュール２０ｂ、２０ｃをスライド移動可能に支持することで、前記光モジュール２０ｂ、２０ｃを作業面側に引き出し可能に収納している。レール部材１１１、１１２には、光モジュールに突設された位置決め片が挿入されることで、前記光モジュールの円滑なスライド移動を実現するガイド溝１１１ａ、１１２ａが複数並列に形成されている。光モジュール２０ｂ、２０ｃは、下壁部５６に装着されて位置決め片として機能する取付板部５３（図８（ａ）、（ｂ）参照）を、下側のレール部材１１２のガイド溝１１２ａに挿入することで、接続ユニット８３に対する収納、作業面側への引き出し等を円滑に行えるようになっている。
また、前記光モジュール２０ｂ、２０ｃは、上壁部５５からコネクタ取付壁３４側に延出されたラッチ５５ａに突設された突起５５ｂを、上側のレール部材１１１に形成された係合凹所（図示せず）に係脱自在に係合することで、成端ユニット８１内の所定位置に安定収納され、作業面側に突出された前記ラッチ５５ａの操作（下押し操作と引き出し操作）により前記係合凹所との係合を解除することで、作業面側に引き出し可能となる。
【００２１】
前記第１配線ダクト１０９は、ユニットフレーム１０８の下部にて、下側のレール部材１１２の作業面側の縁部に沿って延在されており、前記第２配線ダクト１１０は、前記第１配線ダクト１０９の下側にて、該第１配線ダクト１０９と平行に延在配置されている。前記第１配線ダクト１０９の延在方向一端は、ジャンパ作業部９８に臨んで開口されている。第２配線ダクト１１０は、延在方向一端がジャンパ作業部９８に臨んで開口されるとともに、延在方向他端が余長吸収部１０５に臨んで開口されており、ジャンパ作業部９８と余長吸収部１０５とに連通されている。第１配線ダクト１０９の延在方向一端には、湾曲ガイド１０９ａと、クランプ１０９ｂとが設けられ、第２配線ダクト１１０には延在方向両端にクランプ１１０ａが設けられている。第１配線ダクト１０９には、延在方向一端以外の場所にもクランプ１０９ｂが設けられている。
【００２２】
図７（ａ）、（ｂ）は、接続ユニット８３における光配線図である。
図７（ａ）、（ｂ）に示すように、接続ユニット８３では、
（１）接続架体８４に引き込まれた光ファイバ１０４を光モジュール２０ｂ（以下「ジャンパモジュール２０ｂ」と称する場合がある）に収納して、直接、光モジュール２０ｂの内側から光コネクタ４０に接続して、光コネクタ４０によって、ジャンパ用光ファイバ１００に対してコネクタ接続可能に成端する（図７（ａ）参照）、
（２）光分岐器１１３として光カプラ（以下、「光カプラ１１３」）を内蔵した光モジュール２０ｃ（以下「カプラモジュール２０ｃ」と称する場合がある）から引き出された光ファイバ１１４（詳細には基端側光ファイバ１１４ａ）を、光ファイバ１０４をコネクタ接続可能に成端した光モジュール２０ｂの光コネクタ４０に作業面側から接続し、カプラモジュール２０ｃの光コネクタ４０によって、ジャンパ用光ファイバ１００に対してコネクタ接続可能に成端する（図７（ｂ）参照）、
の２通りの成端方式を選択して、光ファイバ１０４を、ジャンパ用光ファイバ１００に対してコネクタ接続可能に成端できる。
いずれの成端方式を採用しても、第１配線ダクト１０９に引き込まれたジャンパ用光ファイバ１００が適宜上方に引き上げるようにして目的の光モジュール２０ｂ、２０ｃの光コネクタ４０に対してコネクタ接続されることで、光ファイバ１００、１０４同士が光接続される。
【００２３】
前記光ファイバ１０４は、例えば、所謂局内成端コード等の、先端が光コネクタ１０４（光コネクタプラグ）によってコネクタ接続可能に成端された成端光ファイバであり、光モジュール２０ｂの光コネクタ４０に対して、直接、光モジュール２０ｂ内側からコネクタ接続できるようになっている。このため、接続ユニット８３に引き込まれた光ファイバ１０４は、前記光モジュール２０ｂに収納して前記光コネクタ４０に接続するだけで（図７（ａ）に示す成端方式）、簡単に、ジャンパ用光ファイバ１００に対してコネクタ接続可能に成端できる。
【００２４】
図７（ｂ）に示す成端方式は、光カプラ１１３を内蔵する光モジュール２０ｃのコネクタ取付壁３４に設けられた配線口３４ｂ（図８（ａ）、（ｂ）、図２１（ａ）、（ｂ）参照）から引き出された光ファイバ１１４を、光コネクタ４０により光ファイバ１０４をコネクタ接続可能に成端したジャンパモジュール２０ｂの前記光コネクタ４０に、作業面側（図７（ｂ）左側）からコネクタ接続する。前記光ファイバ１１４は、途中に介在配置された光カプラ１１３により、分岐されていない一端（以下「基端側光ファイバ１１４ａ」）に対して他端が複数本の分岐光ファイバ１１４ｂに分岐された分岐接続用の光ファイバである。前記分岐光ファイバ１１４ｂは光カプラ１１３とともにカプラモジュール２０ｃ内に収納され、それぞれ光コネクタ１１４ｆによってコネクタ接続可能に成端された先端が、前記カプラモジュール２０ｃ内側から光コネクタ４０に対してコネクタ接続されている。光コネクタ１１４ｃ（光コネクタプラグ）によってコネクタ接続可能に成端された前記基端側光ファイバ１１４ａの端部は、前記配線口３４ｂから光モジュール２０ｃ外側に引き出されており、これを作業面側からジャンパモジュール２０ｂの前記光コネクタ４０にコネクタ接続すると、光ファイバ１０４が、二つの光モジュール２０ｂ、２０ｃを介して、分岐接続用の光ファイバである光ファイバ１１４の分岐光ファイバ１１４ｂの本数に分岐された上で、カプラモジュール２０ｃの光コネクタ４０によって、ジャンパ用光ファイバ１００に対してコネクタ接続可能に成端される。
【００２５】
図６（ａ）〜（ｃ）に示すように、接続ユニット８３では、ジャンパ作業部９８から第１配線ダクト１０９に引き込まれたジャンパ用光ファイバ１００は、第１配線ダクト１０９から引き上げるようにして、光モジュール２０ｂ、２０ｃの光コネクタ４０に着脱自在にコネクタ接続される。分岐接続用の光ファイバ１１４のカプラモジュール２０ｃから引き出された端部（基端側光ファイバ１１４ａ）は、第２配線ダクト１１０からジャンパ作業部９８側の端部を経由して第１配線ダクト１０９に配線され、ジャンパ用光ファイバ１００と同様に、第１配線ダクト１０９から上方に引き上げるようにして、目的のジャンパモジュール２０ｂの光コネクタ４０に接続される。これにより、ジャンパモジュール２０ｂの光コネクタ４０によってコネクタ接続可能に成端された目的の光回線が、カプラモジュール２０ｃを介して、例えば１：４等に分岐して、カプラモジュール２０ｃの光コネクタ４０によってコネクタ接続可能に成端される。カプラモジュール２０ｃから引き出された光ファイバ１１４（基端光ファイバ１１４ｂ）は、接続ユニット８３に収納された各ジャンパモジュール２０ｂの光コネクタ４０に対して切替接続可能であり、ジャンパモジュール２０ｂの光コネクタ４０に接続するだけで、所望のジャンパモジュール２０ｂ側の光回線、すなわち、接続ユニット８３に引き込まれた所望の光ファイバ１０４を複数回線に分岐して、ジャンパ用光ファイバ１００に対してコネクタ接続可能に成端できる。
【００２６】
前記光配線盤７０によれば、成端架体８２の成端ユニット８１に収納された光モジュール２０ａの光コネクタ４０と、接続架体８４の接続ユニット８３に収納されたジャンパモジュール２０ｂの光コネクタ４０またはカプラモジュール２０ｃの光コネクタ４０との間を、ジャンパ用光ファイバ１００を介して接続することで、各ユニット８１、８３に引き込まれた光ファイバ９０、１０４間を接続できる。ジャンパ用光ファイバ１００は、各ユニット８１、８３の光モジュール２０ａ、２０ｂ、２０ｃの光コネクタ４０に対して切替接続可能であるから、これにより、光ファイバ９０、１０４間を自在に切替接続できる。
しかも、適宜、接続ユニット８３にカプラモジュール２０ｃを収納して、このカプラモジュール２０ｃから引き出された分岐接続用の光ファイバ１１４を、ジャンパモジュール２０ｂの光コネクタ４０に接続することで、所望のジャンパモジュール２０ｂ側の光回線、すなわち、接続ユニット８３に引き込まれた所望の光ファイバ１０４を複数回線に分岐して、ジャンパ用光ファイバ１００に対してコネクタ接続可能に成端することも容易に行える。
【００２７】
なお、ジャンパモジュール２０ｂと、このジャンパモジュール２０ｂに対して光ファイバ１１４によって接続されたカプラモジュール２０ｃとは、接続ユニット８３内にて互いに離間して設置されていても良いが、接続ユニット８３では、上下のレール部材１１１、１１２に突設されたフィン状の仕切り突起１１１ｂ、１１２ｂによって光モジュール２０を２枚１組として設置できるようになっているので、この仕切り突起１１１ｂ、１１２ｂを利用して１組に纏めて設置することも可能である。この場合には、接続されている光モジュール２０ｂ、２０ｃの対の位置が判りやすくなり、光モジュール２０ｂ、２０ｃの交換、これら光モジュール２０ｂ、２０ｃの光コネクタ４０に対するジャンパ用光ファイバ１００の切替接続等の作業性を向上できる。
【００２８】
また、各架体８２、８４、各ユニット８１、８３の作業面側は、光配線盤８０の一側部に揃えられているので、光モジュール２０ａ、２０ｂ、２０ｃに対するジャンパ用光ファイバ１００の切替接続、カプラモジュール２０ｃから引き出された光ファイバ１１４の基端側光ファイバ１１４ａのジャンパモジュール２０ｂの光コネクタ４０に対する着脱等の作業を効率良く行える。さらに、光モジュール２０ａ、２０ｂ、２０ｃ内部の作業を行うには、光モジュール２０ａ、２０ｂ、２０ｃを各架体８２、８４、各ユニット８１、８３から作業面側に引き出すようになっているので、引き出し方向が一定であり、光配線盤８０の周囲に確保する作業スペースは光配線盤８０の一側部のみであれば良いから、光配線盤８０の設置スペースを実質的に省スペース化できるといった利点もある。
【００２９】
成端モジュール２０ａ、ジャンパモジュール２０ｂ、カプラモジュール２０ｃは、内部に収納する部品や光ファイバの分岐数、分岐形態等が異なるのみで、同一のモジュール本体３０からなるものを採用しているので、モジュール本体３０の共通化により低コスト化を実現できる。つまり、光モジュール２０ａ、２０ｂ、２０ｃは、同一のモジュール本体３０に複数種類の部品を選択収納することで、光ファイバの分岐数、分岐形態等に対応するものである。
本発明に係る光配線方式並びに光接続ユニット（光配線盤８０）では、光ファイバの分岐数、分岐形態等に対応して、複数種類の部品を選択収納した光モジュール２０を使用することで、モジュール本体３０の共用化による低コスト化を図ることができるとともに、光モジュール２０を収納する成端ユニット８１や接続ユニット８３についても、光モジュール形状等に対応した設計変更が不要になることで低コスト化できる。
以下、このことについて、詳細に説明する。
【００３０】
まず、光モジュール２０の基本構成を説明する。
図８は、本発明に係る光モジュール２０を示す図であって、（ａ）は正面図、（ｂ）は光コネクタ４０側から見た側面図である。図９（ａ）は、図８（ｂ）において蓋３１（図示略）を開放して、モジュール本体３０内の一方の収納空間２１の内部を示した正面図、図９（ｂ）は押え片２７近傍を示す拡大斜視図である。図１０（ａ）は光モジュール２０を示す平断面図（但し、図９に示される収納空間２１内の湾曲壁２３、ホルダ部２４、２５等の図示を省略している）、図１０（ｂ）は図９（ａ）に対向する反対側の蓋２２を開放して、収納空間２２の内部を示した背面図である。図１１は、モジュール本体３０の対向する両側の側壁部である蓋３１、３２を開放した状態を示す図であって、（ａ）は光コネクタ４０側から見た側面図、（ｂ）はヒンジ部５７近傍を示す拡大図である。図１３は、モジュール本体後壁部である蓋３３（以下「後蓋３３」と称する場合がある）を開放した状態を示す正面図である。
【００３１】
図８〜図１３において、光モジュール２０は、外観薄板ケース状のモジュール本体３０の一側部に、光コネクタアダプタである光コネクタ４０が取り付けられた構成であり、モジュール本体３０内に収納された光ファイバＦを、前記光コネクタ４０によってコネクタ接続可能に成端するようになっている。前記光ファイバＦは、モジュール本体３０の前記光コネクタ４０が取り付けられたコネクタ取付壁３４に開口された配線口３５を介して、光モジュール２０の外側に引き出すようにして配線される。ここで、光ファイバＦは、モジュール本体３０内に収納される光ファイバの総称であり、成端モジュール２０ａでは分岐接続用光ファイバである光ファイバ４１（図５参照）、ジャンパモジュール２０ｂでは光コネクタ１０４ａ（光コネクタプラグ）によってコネクタ接続可能に成端された成端光ファイバである光ファイバ１０４（図７参照）、カプラモジュール２０ｃでは分岐接続用光ファイバである光ファイバ１１４（図７参照）である。
【００３２】
前記モジュール本体３０の内部は、該モジュール本体３０の厚さ方向中央部に設けられた仕切壁である仕切材３６によって仕切られており、この仕切材３６を介してその両側に二つの収納空間２１、２２が画成されている。図１０（ａ）に示すように、コネクタ取付壁３４近傍では、前記仕切材３６が湾曲されて収納空間２１が拡張されており、この拡張部分に、モジュール本体３０のコネクタ取付壁３４に開口されたコネクタ穴３４ａに嵌め込まれた前記光コネクタ４０の一部が収納されている。一方の収納空間２２（以下「入力側収納空間２２」と称する場合がある）と、他方の収納空間２１（以下「出力側収納空間２１」と称する場合がある）との間は、仕切材３６の一側部を切り欠いた形状の連通穴３６ａを介して連通されており、両収納空間２１、２２に連通、配線される光ファイバＦは、この連通穴３６ａに挿通される。
モジュール本体３０内が仕切材３６によって二つの収納空間２１、２２に仕切られた構成では、各収納空間２１、２２での作業を、仕切材３６を介して仕切られた別の収納空間内に収納されている光ファイバの配線状態、光素子等の光部品の特性等に影響を与えること無く、効率良く行える利点がある。
【００３３】
図９（ａ）、図１０（ａ）、（ｂ）に示すように、各収納空間２１、２２には、光ファイバの湾曲処理用の湾曲壁２３が仕切材３６から突設されている。
さらに、出力側収納空間２１には、内部に収納した光ファイバＦを仕切材３６に押え込むための押え片２７が、仕切材３６や前記湾曲壁２３等から突設されている。図９（ｂ）に示すように、仕切材３６から突設された押え片２７は、前記仕切材３６から立ち上げた先端を屈曲した部分と前記仕切材３６との間に光ファイバ４１を押え込むようになっている。また、押え片２７は、出力側収納空間２１のみならず、入力側収納空間２２にも形成されている。
【００３４】
前記入力側収納空間２２は、出力側収納空間２１内を仕切る隔壁３５ａによって画成された通線穴３５ｂを介して、コネクタ取付壁３４の配線口３５と連通されているため、入力側収納空間２２から光モジュール２０外側に引き出すようにして配線される光ファイバは、出力側収納空間２１内に露出せず、出力側収納空間２１内の光ファイバと絡み合う等の不都合を生じない。
【００３５】
モジュール本体３０は、仕切材３６並びにこの仕切材３６の外周部にリブ状に突設された外周壁３７からならなるフレーム部５１と、このフレーム部５１の外側に装着される蓋部材５２とを備えて構成されている。
ここで、図１４（ａ）、（ｂ）および図１５（ａ）、（ｂ）に示すように、前記蓋部材５２は、モジュール本体３０の厚さ方向両側に開閉自在に設けられた蓋３１、３２と、前記光コネクタ４０に対向する後端部に開閉自在に設けられたモジュール本体後壁部である蓋３３（後蓋）とを、モジュール本体３０の底部の下壁部５６に装着される取付板部５３に対して、それぞれヒンジ部５７、６０を介して回転自在に連結した構成であり、フレーム部５１に対して一括して着脱できるようになっている。
【００３６】
フレーム部５１を構成する外周壁３７は、コネクタ取付壁３４と上壁部５５と下壁部５６とからなり、モジュール本体３０の後端部の後蓋３３を除く外周部を形成する枠状になっている。上壁部５５および下壁部５６は、仕切材３６を介して対向する上下（図９（ａ）、図１０（ｂ）等において上下）に設けられ、細長形状のコネクタ取付壁３４の長手方向端部からモジュール本体３０後端部まで延在されている。各外周壁３４、５５、５６は、いずれも仕切材３６から該仕切材３６の厚さ方向両側に突出するリブ状になっている。
【００３７】
図１４（ａ）、（ｂ）および図１５（ａ）、（ｂ）は、蓋部材５２を示す。
図１４（ａ）、（ｂ）および図１５（ａ）、（ｂ）に示すように、蓋部材５２は、フレーム部５１の前記下壁部５６に装着される細長プレート状の取付板部５３と、該取付板部５３の長手方向に垂直な幅方向両側にそれぞれヒンジ部５７を介して回転自在に連結された１対の蓋３１、３２と、前記取付板部５３の長手方向一端部にヒンジ部６０を介して回転自在に連結された後蓋３３とを備えて構成されている。
【００３８】
この蓋部材５２は、取付板部５３を前記下壁部５６に装着することで、フレーム部５１に対して取り付けられる。モジュール本体３０は、前記下壁部５６に前記取付板部５３を装着して、蓋部材５２を取り付けることで組み立てられる。
前記蓋部材５２は、下壁部５６の下面５６ａ側に突設された係合片５６ｂに対して取付板部５３を係合することで、モジュール本体３０を構成するフレーム部５１に組み付けられる。図１５（ａ）、（ｂ）において、具体的には、取付板部５３の長手方向複数箇所（図では３箇所）に連設された長穴５３ａを、前記下壁部５６の係合片５６ｂに挿入し、取付板部５３を下壁部５６の延在方向に沿ってスライド移動することで、前記長穴５３ａの長手方向一端部内面にフランジ状に突設された係合部５３ｂに前記係合片５６ｂを係合せしめる。取付板部５３側の係合部５３ｂは、下壁部５６からの係合片５６ｂの突出先端から張り出された張出部５６ｃと前記下壁部５６との間に確保された隙間に嵌合されるため、取付板部５３は下壁部５６に対してぐらつくことなく安定に装着される。これにより、取付板部５３が下壁部５６に対して一体的に装着され、蓋部材５２全体がフレーム部５１に落下しないように取り付けられたことになる。取付板部５３を下壁部５６に対して逆方向にスライド移動することで、長穴５３ａの長手方向他端部の通過穴５３ｃを下壁部５６の係合片５６ｂに対して位置決めすると、下壁部５６の係合片５６に対する取付板部５３の係合部５３ｂの係合が解除され、係合片５６ｂを長穴３ａから抜き出すようにして、下壁部５６に対して取付板部５３を離脱できる。これにより、モジュール本体３０から蓋部材５２を簡単に分離できる。
【００３９】
蓋３１、３２、３３は、それぞれ開閉自在であり、図８（ａ）、（ｂ）に示すように、これら蓋３１、３２および後蓋３３をフレーム部５１に対して装着することで、モジュール本体３０全体がケース状に組み立てられる。
蓋３１は出力側収納空間２１を開閉する蓋として機能し、蓋３２は入力側収納空間２２を開閉する蓋として機能するものであり、これら蓋３１、３２の開閉操作によって、収納空間２１、２２を個別に開閉することができる。また、蓋３１、３２は、収納空間２１、２２を塞ぐ側壁部自体、モジュール本体３０の厚さ方向の両側壁部自体を構成しているため、これら蓋３１、３２を開放すると、収納空間２１、２２全体が露出される。
【００４０】
図１１（ａ）、（ｂ）に示すように、各蓋３１、３２は、前記ヒンジ部５７から最も離間された端部に設けられたラッチ５８を、上壁部５５に設けられた係止部５９（図９、図１３参照）に係合することで、閉状態（図１１（ａ）中仮想線）を維持することができる。前記ラッチ５８は前記係止部５９に対して係脱自在であり、前記閉状態でもモジュール本体３０外側に露出しているレバー部５８ａの操作によって前記係止部５９との係合を解除することで、簡単に開放することができる。
【００４１】
図１３に示すように、後蓋３３は、取付板部５３に対してヒンジ部６０を介して回転自在に連結されており、このヒンジ部６０を中心とする回転によって、モジュール本体３０後端部を開閉するようになっている。この後蓋３３は、前記ヒンジ部６０から最も離間された端部に設けられたラッチ６１を、上壁部５５に設けられた係止部６２に係合することで、閉状態（図９実線、図１３（ａ）中仮想線）を維持することができる。前記ラッチ６１は前記係止部６２に対して係脱自在であり、前記閉状態でもモジュール本体３０外側に露出しているレバー部６１ａの操作によって前記係止部６２との係合を解除することで、簡単に開放することができる。
【００４２】
本実施の形態において、モジュール本体３０を構成するフレーム部５１並びに蓋部材５２はそれぞれ、全体がプラスチック等の合成樹脂からなる一体成形品である。図１１（ｂ）に示すように、前記ヒンジ部５７は、取付板部５３と蓋３１、３２間の境界の肉厚を薄くした部分である。また、後蓋３３のヒンジ部６０についても同様の薄肉部を採用している。
なお、本発明においては、ヒンジ部５７、６０は、樹脂製モジュール本体３０の薄肉部に限定されず、例えば、取付板部５３と蓋３１、３２の一方に成形した軸部に他方の係合部を回転自在に係合する構成、取付板部５３と蓋３１、３２とをピン等の別部品を介して連結した構成等、各種構成が採用可能である。但し、低コスト化、部品点数の削減等の面では、全体が合成樹脂から一体成形された蓋部材５２、並びに、その薄肉部からなるヒンジ部５７、６０を採用することが有利である。
【００４３】
この光モジュール２０によれば、両蓋３１、３２を開放すれば、両側の収納空間２１、２２を同時に開放することができ、両側の収納空間２１、２２を対照しながら作業を進めることが可能になり、作業性を向上できる。しかも、各収納空間２１、２２のいずれの側にも、仕切材３６の連通穴３６ａが露出されるため、連通穴３６ａへの光ファイバＦの挿通、取り出し（抜き取り）等を伴う作業を行う場合であっても、作業性を向上できる。
仕切材３６において後蓋３３に臨む端部に形成された連通穴３６ａは、後蓋３３によって一側部が開閉されるようになっており、後蓋３３を開放するとその一側部が開放されるため、両蓋３１、３２に加えて後蓋３３を開放することで、連通穴３６ａに対する光ファイバＦの挿通、取り出し等の作業を自由に行えるようになるから、両収納空間２１、２２に連通される光ファイバＦが関与する作業を一層効率良く行うことができる。
【００４４】
蓋３１、３２、３３を開放しても、蓋部材５２は、下壁部５６の係合片５６ａに対する取付板部５３の係合状態が解除されない限り、モジュール本体３０から分離して落下するといった心配が無い。両蓋３１、３２並びに後蓋３３は、蓋部材５２として連続した１部品になっているため、開放しても分離しないから、開放時の落下による破損、紛失等の不都合が生じない。しかも、これら蓋３１、３２、３３は、フレーム部５１側の係止部５９、６２に対するラッチ５８、６１の操作によって簡単に開閉できるから、これにより、開閉に掛かる作業時間の短縮等も実現できる。
【００４５】
図８（ａ）、（ｂ）、図１１（ａ）、（ｂ）に示すように、モジュール本体３０のコネクタ取付壁３４に開口されたコネクタ穴３４ａの一側部は、一方の蓋３１によって開閉されるようになっており、この蓋３１を開放することで開放され、前記光コネクタ４０の収納、取り出し等の作業を行うことができる。したがって、モジュール本体３０の外で、光コネクタ４０に対する光ファイバＦのコネクタ接続作業や、光ファイバＦがコネクタ接続される各光コネクタ４０のハウジング４０ａ（後述）内部の清掃（例えば内部の割りスリーブの清掃）等を効率良く行えるといった利点もある。
【００４６】
つまり、光コネクタ４０は、スリーブ状のハウジング４０ａの対向する両側部に突出された１対の取付片４０ｂを備えており、図１０（ａ）、（ｂ）に示すように、コネクタ穴３４ａ近傍にて仕切材３６に形成された溝状のコネクタ位置決め穴３６ｂに、一方の取付片４０ｂを嵌め込み、他方の取付片４０ｂを、蓋３１に形成された溝状のコネクタ位置決め穴３１ａに嵌め込んで、所定位置に安定に実装されるようになっている。図１２（ａ）、（ｂ）に示すように、光コネクタ４０の両側の取付片４０ｂには穴４０ｃが穿設されており、仕切材３６の前記コネクタ位置決め穴３６ｂに嵌め込んだ取付片４０ｂの穴４０ｃを、仕切材３６の前記コネクタ位置決め穴３６ｂ内面に突設された嵌合突起３６ｃに離脱可能に嵌め込むことで、光コネクタ４０が安定支持される。蓋３１側のコネクタ位置決め穴３１ａには、光コネクタ４０の他方の取付片４０ｂの穴４０ｃに嵌め込まれる嵌合突起は無く、蓋３１を開放すると、コネクタ位置決め穴３１ａから取付片４０ｂが引き抜かれ、フレーム５１（詳細には仕切材３６）側に支持された光コネクタ４０が露出される。
モジュール本体３０の蓋３１を開放し、光コネクタ４０を強く引いて、仕切材３６の前記コネクタ位置決め穴３６ｂから取付片４０ｂを抜き出すだけで、モジュール本体３０から光コネクタ４０を簡単に取り出すことができる。そして、モジュール本体３０から取り出した光コネクタ４０から、該光コネクタ４０に接続されていた光ファイバＦ先端の光コネクタＦ１を引き抜くことで、モジュール本体３０外の充分な作業スペースが確保できる場所にて、光コネクタ４０内の清掃等の作業を効率良く行える。
また、蓋３１を開放しておけば、仕切材３６の前記コネクタ位置決め穴３６ｂに取付片４０ｂを押し込んで嵌め込むだけで、光コネクタ４０の実装を容易に行えることは言うまでも無い。
なお、フレーム部５１側のコネクタ位置決め穴の形成位置は、仕切材３６に限定されず、フレーム部５１のコネクタ取付壁３４近傍の何処でも良い。
【００４７】
光モジュール２０の具体的構成は、前述の構成に限定されず、各種変更が可能である。
例えば、前記実施の形態では、モジュール本体３０の側壁部３１、３２全体、後壁部３３全体が、それぞれ開閉自在の蓋として機能する構成を例示したが、本発明はこれに限定されず、例えば、モジュール本体の両側の各側壁部の一部、後壁部の一部が開閉自在の蓋として機能する構成も採用可能である。また、両側壁部全体または１部を開閉する蓋、後壁部の全体または１部を開閉する蓋としては、前述の蓋部材５２を構成するものに限定されず、モジュール本体の一部分をヒンジによって回転自在に連結した蓋として機能させる構成も採用可能である。但し、モジュール本体から離脱可能な蓋部材５２であれば、モジュール本体から離脱してしまえば邪魔にならず、仕切材を介して両側の収納空間や連通穴に対する光ファイバの収納、取り出し等の作業に干渉しなくなるので、優れた作業性が得られるので、この点で有利である。
【００４８】
図８（ａ）に示す引留部品３８は、配線口３５に挿通された光ファイバＦを引き留めるための部材であり、配線口３５に嵌め込むことで移動しないように収納される。前記配線口３５は、蓋３１とは逆の蓋３２を開放することで一側部を開放できることから、これにより、配線口３５に対する引留部品３８の収納、取り出し、交換等の作業を簡便に行える。
なお、引留部品３８も、本発明に係る光部品に相当する。
【００４９】
次に、各光モジュール２０ａ、２０ｂ、２０ｃについて具体的に説明する。
【００５０】
（成端モジュール２０ａ）
図５、図１６（ａ）、（ｂ）、図１７（ａ）、（ｂ）に示すように、成端モジュール２０ａは、モジュール本体３０内に、光ファイバ４１（図５参照）を収納したものである。
光ファイバ４１は、多心光ファイバコード（ここでは、４心光ファイバコード）等からなる多心光ファイバ部４１ａと、この多心光ファイバ部４１ａの端末から、分岐部４３を介して例えば４分岐、８分岐等の複数に分岐された複数本の分岐光ファイバ４１ｂとを備えて構成されている。各分岐光ファイバ４１ｂの前記多心光ファイバ部４１ｂから分岐された端末は、前記光コネクタ４２によってコネクタ接続可能に成端され、それぞれモジュール本体３０（具体的には出力側収納空間２１）内側から光コネクタ４０に対してコネクタ接続されており、これにより、光ファイバ４１のｎ心の光線路が、それぞれ光コネクタ４０によって、分岐光ファイバ４１ｂ単位でジャンパ用光ファイバ１００に対してコネクタ接続可能に成端されている。また、入力側収納空間２２には、分岐光ファイバ４１ｂの余長が湾曲収納される。
分岐光ファイバ４１ｂとしては、光ファイバコード、光ファイバ心線等が採用される。また、分岐光ファイバ４１ｂとしては単心のものに限定されず、多心のものも採用可能である。
【００５１】
具体的には、図１６（ａ）、（ｂ）に示す光モジュール２０ａは、４心光ファイバコードである光ファイバ４１（多心光ファイバ部４１ａ）端末を分岐部４３（以下、説明の便宜上「分岐部４３ａ」と称する場合がある）を介して４本の単心の分岐光ファイバ４１ｂに分岐してなる光ファイバ４１を２本収納したものであり、図１７（ａ）、（ｂ）に示す光モジュール２０ａは、８心光ファイバコードである光ファイバ４１（多心光ファイバ部４１ａ）端末を分岐部４３（以下、説明の便宜上「分岐部４３ｂ」と称する場合がある）を介して８本の単心の分岐光ファイバ４１ｂに分岐してなる光ファイバ４１を１本収納したものである。
【００５２】
図１６（ａ）、（ｂ）に示す光モジュール２０ａでは、入力側収納空間２２内に設けられたホルダ部２６にホルダ２８を取り付け、このホルダ２８に、各光ファイバ４１の分岐部４３ａを取り出し可能にクランプ保持している。ホルダ部２６は、ホルダ２８が後付けされるホルダ取付部として機能する。
図１７（ａ）、（ｂ）に示す光モジュール２０ａでは、入力側収納空間２２内に設けられたホルダ部２６に直接、光ファイバ４１の分岐部４３ｂを取り出し可能にクランプ保持している。
【００５３】
図１６（ｂ）、図１７（ｂ）に示すように、ホルダ部２６は、モジュール本体３０の下壁部５６から、仕切材３６に沿って離間された２箇所に突設された突起２６ａと、この二つの突起２６ａの間にて、前記下壁部５６との間に数ｍｍ程度の隙間が確保されるようにして前記仕切材３６から突設された突起２６ｂとを備え、これら突起２６ａ、２６ｂ間に挿入された分岐部４３ｂを取り出し可能にクランプ保持するようになっている。
図１８に示すように、ホルダ２８は、ゴム等の弾力性を有する素材によって形成され、分岐部４３ａを収納して取り出し可能にクランプ保持する保持溝２８ａが複数並列に形成されたプレート状の部材になっている。このホルダ２８は、中央部に設けられた嵌合穴２８ｂを、仕切材３６からピン状に突出された前記突起２６ｂに押し込むことで、簡単に嵌合固定できるようになっている。突起２６ｂに嵌合したホルダ２８は、前記仕切材３６や下壁部５６に当接状態になるため、がたつき等の無い安定な取り付け状態が得られる。また、ホルダ２８は、強く引くことで、突起２６ｂから抜き出すことができる。
【００５４】
ところで、分岐部４３は、光ファイバ４１の分岐数等によってサイズが異なる。図１６（ａ）、（ｂ）に例示した分岐部４３ａは、図１７（ａ）、（ｂ）に示した分岐部４３ｂよりもサイズが小さく、分岐部４３ｂの安定保持に適合するホルダ部２６では、安定保持できないが、ホルダ部２６に取り付けたホルダ２８により安定保持することができる。分岐部４３のサイズに適合するホルダ２８を選択してホルダ部２６に取り付けることで、各種サイズの分岐部４３の安定保持を実現できる。また、モジュール本体３０内、具体的には、入力側収納空間２２内に収納する分岐部４３の数がさらに多い場合には、分岐部４３数に対応可能な保持溝２８ａを備えるホルダ２８を採用して、ホルダ２８に取り付けることで、各分岐部４３の安定保持に対応できる。
【００５５】
（ジャンパモジュール２０ｂ）
図１９（ａ）、（ｂ）に示すように、ジャンパモジュール２０ｂは、光コネクタ１０４ａ（光コネクタプラグ）によってコネクタ接続可能に成端された光ファイバ１０４を、モジュール本体３０内に引き込んで収納し、前記光ファイバ１０４をモジュール本体３０（詳細には出力側収納空間２１）の内側から光コネクタ４０に接続し、前記光コネクタ４０によって、ジャンパ用光ファイバ１００に対してコネクタ接続可能に成端したものである。
図１９（ａ）、（ｂ）においては、具体的には、光ファイバコード等からなる複数本の単心の光ファイバ１０４の余長を入力側収納空間２２にて湾曲収納し、連通穴３６を介して出力側収納空間２１内に配線、収納された各光ファイバ１０４を、光コネクタ４０に接続している。光ファイバ１０４の途中には、分岐部等の光部品は設けられていないから、前述の成端モジュール２０ａのホルダ２８等の、光部品を保持するためのホルダの設置は不要である。
【００５６】
（カプラモジュール２０ｃ）
図８（ａ）、（ｂ）、図２０（ａ）、（ｂ）、図２１（ａ）、（ｂ）に示すように、カプラモジュール２０ｃは、分岐接続用光ファイバである光ファイバ１１４をモジュール本体３０内に収納したものである。
モジュール本体３０の入力側収納空間２２には基端側光ファイバ１１４ａの余長が湾曲収納され、出力側収納空間２１には光部品（光素子）としての光カプラ１１３と、この光カプラ１１３を介して前記基端側光ファイバ１１４ａから複数本分岐された分岐光ファイバ１１４ｂの余長とが収納されている。
【００５７】
図２０（ａ）、（ｂ）、図２１（ａ）、（ｂ）に示すカプラモジュール２０ｃでは、光ファイバコードである単心の基端側光ファイバ１１４ａの余長を入力側収納空間２２に湾曲収納し、前記光カプラ１１３近傍にて基端側光ファイバ１１４ａの保護チューブを除去して露出させた光ファイバ心線１１４ｄを、連通穴３６ａに挿通して、仕切材３６を介して両側の収納空間２１、２２に連通させている。
入力側収納空間２２では、光ファイバ心線１１４ｄを口出しした口元に固定された引留部材１１４ｅを、前記連通穴３６ａ近傍に設けられたホルダ部２９に取り出し可能に保持している。
出力側収納空間２１では、光コネクタ１１４ｃ（光コネクタプラグ）によってコネクタ接続可能に成端された各分岐光ファイバ１１４ｂの先端を光コネクタ４０に接続して、ジャンパ用光ファイバ１００に対してコネクタ接続可能に成端している。
なお、引留部材１１４ｅも、本発明に係る光部品に相当する。
【００５８】
図２０（ａ）、（ｂ）に示すカプラモジュール２０ｃは、具体的には、単心の基端側光ファイバ１１４ａから１：４光カプラ１１３（説明の便宜上、以下符合１１３ａを付す場合がある）を介して４本の単心の分岐光ファイバ１１４ｂを分岐した光ファイバ１１４を１本収納したものであり、図２１（ａ）、（ｂ）に示すカプラモジュール２０ｃは、具体的には、単心の基端側光ファイバ１１４ａから１：８光カプラ１１３（説明の便宜上、以下符合１１３ｂを付す場合がある）を介して８本の単心の分岐光ファイバ１１４ｂを分岐した光ファイバ１１４を１本収納したものである。
図２０（ａ）、（ｂ）に示すカプラモジュール２０ｃでは、コネクタ取付壁３４の２箇所に開口されたコネクタ穴３４ａの内の一方にのみ、合計４心に対応する光コネクタ４０（単心の光コネクタアダプタを４個）を収納し、他方のコネクタ穴３４ａには栓４４を嵌め込んで塞いでいる。但し、途中に光カプラ１１３ａが介在されてなる光ファイバ１１４を収納するカプラモジュール２０ｃとしては、図２０（ａ）、（ｂ）に示す構成に限定されず、例えば、図２０（ａ）、（ｂ）に示す光ファイバ１１４を２本収納し、二つのコネクタ穴３４ａにそれぞれ実装された光コネクタ４０によって、合計８心分の光回線のコネクタ接続可能な成端を実現するようにしても良い。この場合、各光ファイバ１１４の光カプラ１１３ａは、ホルダ部２４に安定保持することができる。
【００５９】
光カプラ１１３ａ、１１３ｂは、出力側収納空間２１の上下に対向配置されたホルダ部２４、２５あるいは一方のホルダ部２５に着脱自在に設けられるホルダ２５ａ（図２１（ａ）参照）に選択的にクランプ保持することで、出力側収納空間２１に安定収納される。
つまり、前記ホルダ部２４、２５は、いずれも、仕切材３６等から突設された突起（図中、ホルダ部２４を構成する突起に符合２４ｂ、ホルダ部２５を構成する突起に符合２５ｂを付した）によって、光カプラを取り出し可能にクランプ保持するものであるが、これらホルダ部２４、２５は、安定にクランプ保持できる光部品（ここでは光カプラ）の適合サイズに違いがある。また、下側のホルダ部２５には、別途、光カプラ等の光部品（光素子）を取り出し可能にクランプ保持するホルダ２５ａを着脱自在に取り付けることが可能である。ホルダ部２５は、ホルダ２５ａが後付けされるホルダ取付部として機能する。ホルダ２５ａは、ホルダ部２５を構成する複数の突起２５ｂ間への嵌め込みによって着脱自在に取り付けられる。したがって、これらホルダ部２４、２５、ホルダ部２５に取り付けられるホルダ２５ａを選択することで、各種サイズの光カプラの安定なクランプ保持を実現できる。
具体的には、一方の光カプラ１１３ａは、図２０（ａ）、（ｂ）、図２１（ａ）、（ｂ）中上側のホルダ部２４にクランプ保持され、前記光カプラ１１３ａに比べて分岐数が多くサイズが大きい光カプラ１１３ｂは、下側のホルダ部２５に着脱可能に取り付けられたホルダ２５ａにクランプ保持されるようになっている。
また、図２０（ａ）、（ｂ）、図２１（ａ）、（ｂ）に示すカプラモジュール２０ｃでは、湾曲壁２３等を利用することで、出力側収納空間２１に分岐光ファイバ１１４ｂの余長が湾曲収納される。
【００６０】
光ファイバ１１４の途中には、多心光ファイバ部４１ａから複数本の分岐光ファイバ４１を分岐する分岐部４３は存在しないから、入力側収納空間２２のホルダ部２６にはホルダ２８を取り付ける必要は無い。
逆に、成端モジュール２０ａ、ジャンパモジュール２０ｂでは、モジュール本体３０に収納する光ファイバ４１、１０４に、引留部品３８や光カプラ１１３が設けられていないから、入力側収納空間２２のホルダ部２９や出力側収納空間２１のホルダ部２４、２５は空きのままで良く、これらホルダ部２９、２４、２５を、光ファイバ４１、１０４の引き回し等に利用することも可能である。
【００６１】
前述のように、本発明に係る光モジュール２０、光配線方式、光配線ユニット（光配線盤８０）によれば、入力側収納空間２２のホルダ部２６、２９、出力側収納空間２１のホルダ部２４、２５、ホルダ部２６、２５に着脱自在に取り付けられるホルダ２８、２５ａを選択的に利用して、分岐部４３、引留部材１１４ｅ、光カプラ１１３である光部品を保持することで、モジュール本体３０に収納する光ファイバ４１、１０４、１１４の分岐形態、分岐数等に適合する光モジュール２０ａ、２０ｂ、２０ｃを組み立てることができる。
また、ジャンパモジュール２０ｂおよびカプラモジュール２０ｃを、同一のモジュール本体３０を共用して構成することで、２種類の光モジュール２０ｂ、２０ｃを同一の接続ユニット８３に収納でき、接続ユニット８３内における収納位置も、光モジュール２０ｂ、２０ｃの種類によって区別する必要が無い。したがって、これにより接続ユニット８３の低コスト化、該接続ユニット８３が搭載されてなる接続架体８４の小型化、低コスト化を実現できる。
成端モジュール２０ａについても、ジャンパモジュール２０ｂおよびカプラモジュール２０ｃと同一のモジュール本体３０を用いて構成することで、光配線盤８０に収納される複数種類の光モジュール２０の製造コストを低減できる。
【００６２】
前記光配線方式、光配線ユニット８０によれば、成端ユニット８１、接続ユニット８３のいずれも、光ファイバ同士の光接続部を光モジュール２０ａ、２０ｂ、２０ｃ内に収納しないで構成できる。成端ユニット８１は、該成端ユニット８１に引き込まれた光ファイバ９０と、成端モジュール２０ａ側の光ファイバ４１との光接続部９４を、接続部収納棚８６に集合させて収納する構成であり、接続ユニット８３は、ジャンパモジュール２０ｂの光コネクタ４０にカプラモジュール２０ｂから引き出された光ファイバ１１４をコネクタ接続することで、ジャンパモジュール２０ｂ側の光ファイバ１０４とカプラモジュール２０ｃ側の光ファイバ１１４とが接続される構成であるから、光ファイバ９０、４１間の接続、光ファイバ１０４、１１４間の接続を、光モジュール２０ａ、２０ｂ、２０ｃのユニット８１、８３からの引き出しや、開放作業無しに行うことができ、作業性を向上できる。
【００６３】
また、各光モジュール２０ａ、２０ｂ、２０ｃでは、配線口３５に嵌め込み収納される引留部品３８も、入力側収納空間２２から配線口３５を介して引き出すようにして配線される光ファイバ４１、１０４、１１４の種類、心数、本数等に対応して、例えば図２２（ａ）、（ｂ）、図２３（ａ）、（ｂ）に示す構成のものを選択使用するようになっている。
図２２（ａ）、（ｂ）に示す引留部品３８（以下、説明の便宜上、符合３８ａを付す場合がある）は、形状、大きさの異なる光ファイバ穴３９ａが複数貫通形成されたものであり、図２３（ａ）、（ｂ）に示す引留部品３８（以下、説明の便宜上、符合３８ｂを付す場合がある）は、ほぼ同じ径の断面円形の光ファイバ穴３９ｂが複数貫通形成されたものである。いずれの引留部品３８も、ゴムや合成樹脂等の弾力性を有する素材から形成されており、光ファイバ穴３９ａ、３９ｂへの光ファイバの嵌め込み固定や、取り出しを行うための側部開口部３９ｃ、３９ｄが側面にスリット状に開口されている。
成端モジュール２０ａでは、配線口３５に挿通される光ファイバ４１の多心光ファイバ部４１ａが多心光ファイバコード等の多心光ファイバであることに対応して、図２２（ａ）、（ｂ）に示す引留部品３８ａを配線口３５に嵌め込み収納して、前記多心光ファイバ部４１ａを光ファイバ穴３９ａに嵌合固定する。ジャンパモジュール２０ｂやカプラモジュール２０ｃの配線口３５には、図２３（ａ）、（ｂ）に示す引留部品３９ａを配線口３５に嵌め込み収納して、前記配線口３５に挿通される光ファイバ１０４や光ファイバ１１４の基端側光ファイバ１１４ａである単心光ファイバコード等の単心光ファイバを、光ファイバ穴３９ｂに嵌合固定する。
【００６４】
本発明は、前記実施の形態に限定されず、各種変更が可能であることは言うまでも無い。
例えば、成端モジュール２０ａ、カプラモジュール２０ｃに収納する光ファイバ４１、１１４の本数、分岐数は、前述の実施の形態に例示したものに限定されず、適宜変更可能である。また、ジャンパモジュール２０ｂに収納される光ファイバ１０４の本数も、適宜変更可能である。
モジュール本体内に収納される光部品としては、光ファイバの途中に介在されたり、光ファイバに装着される部品であり、前記分岐部４３、引留部品３８、光カプラ１１３、引留部材１１４ｅに限定されず、例えば、モジュール本体内に収納される光ファイバの途中に設けられた光フィルタ等の各種光素子なども採用可能である。
前記実施の形態において、光配線盤８０を構成する接続ユニット８３、接続架体８４も、それぞれ本発明に係る光配線ユニットとして機能する。本発明に係る光配線ユニットとしては、光モジュールを収納する構成であれば良く、光配線盤に限定されず、例えば光接続箱等、各種構成が採用可能である。
光モジュール内に収納する光分岐器としては、光カプラに限定されず、例えば基板形光導波路からなるもの等、各種構成が採用可能である。光カプラ以外の光分岐器を収納した光モジュールでも、前述の「カプラモジュール２０ｃ」について説明した機能、作用は同様であり、「カプラモジュール」を「分岐モジュール」と読み替えることができる。
【００６５】
【発明の効果】
以上説明したように、本発明によれば、モジュール本体内に収納する光ファイバに設けられた光部品の種類、形状、サイズ等に対応して、前記モジュール本体内に設けられたホルダ部の使用、不使用、このホルダ部に対するホルダの取り付けの有無を選択することによって、前記光ファイバを安定収納できる光モジュールが得られる。複数本の分岐光ファイバに分岐された光ファイバを収納する場合は、光ファイバの分岐形態、分岐数等に対応して用いられる光部品の種類、形状、サイズ等に対応して、ホルダ部の使用、不使用、このホルダ部に対するホルダの取り付けの有無を選択することによって、前記光ファイバを安定収納できる光モジュールが得られる。
このため、複数種類の光モジュールを、同一のモジュール本体を使用して構成することができ、低コスト化を図ることができる。また、この光モジュールを収納する光配線ユニットのユニットフレームを、光モジュールの種類別に分ける必要が無くなり、共通化できるようになるから、これによる低コスト化も実現できるといった優れた効果が得られる。
【図面の簡単な説明】
【図１】  本発明に係る光配線ユニットとしての光配線盤を示す図であって、（ａ）は平面図、（ｂ）は正面図である。
【図２】  図１の光配線盤に搭載される成端ユニットを示す図であって、（ａ）は平面図、（ｂ）は正面図、（ｃ）は側面図である。
【図３】  図１の光配線盤を構成する成端架体に設けられたユニット取付フレームを示す正面図である。
【図４】  図３のユニット取付フレームに対する成端ユニットの取付構造を示す分解斜視図である。
【図５】  図２の成端ユニットでの光ファイバ同士の接続状態を示す光配線図である。
【図６】  図１の光配線盤に搭載される接続ユニットを示す図であって、（ａ）は平面図、（ｂ）は正面図、（ｃ）は側面図である。
【図７】  図６の接続ユニットにおける光ファイバ同士の接続状態を示す光配線図であり、（ａ）はジャンパモジュールに係る光配線図、（ｂ）はジャンパモジュールとカプラモジュールとを用いた場合の光配線図を示す。
【図８】  本発明に係る光モジュールを示す図であって、（ａ）は正面図、（ｂ）は光コネクタ４０側から見た側面図である。
【図９】  （ａ）は、図８（ｂ）においてモジュール本体の側壁部である蓋を取り外した状態を示す正面図、（ｂ）は押え片近傍を示す拡大斜視図である。
【図１０】  （ａ）は光モジュールを示す平断面図、（ｂ）は図９（ａ）に対向する反対側の収納空間の内部構造を示す背面図である。
【図１１】  モジュール本体の対向する両側の側壁部である蓋を開放した状態を示す図であって、（ａ）は光コネクタ側から見た側面図、（ｂ）はヒンジ部近傍を示す拡大図である。
【図１２】  （ａ）は本発明に係る光モジュールのモジュール本体に実装される光コネクタアダプタを示す斜視図、（ｂ）は、（ａ）の光コネクタアダプタの両側の取付片に穿設された穴と、モジュール本体側の仕切材並びに一方の蓋に形成された嵌合突起との嵌合状態を示す平断面図である。
【図１３】  モジュール本体後壁部である蓋を開放した状態を示す正面図である。
【図１４】  モジュール本体を構成する蓋部材を示す図であって、（ａ）は展開した状態を示す平面図、（ｂ）は（ａ）の側面図である。
【図１５】  モジュール本体を構成する蓋部材を示す図であって、（ａ）は展開した状態を示す正断面図、（ｂ）は取付板部に開口された長穴を示す下面図である。
【図１６】  本発明に係る光モジュールの構成例である成端モジュールを示す図であって、（ａ）は出力側収納空間を示す正面図、（ｂ）は（ａ）に対する背面図であり入力側収納空間を示す。
【図１７】  本発明に係る光モジュールの構成例である成端モジュールの別の構成例を示す図であって、（ａ）は出力側収納空間を示す正面図、（ｂ）は（ａ）に対する背面図であり入力側収納空間を示す。
【図１８】  図１６、図１７の成端モジュールに収納される光ファイバの分岐部を保持するホルダを示す図であって、（ａ）は斜視図、（ｂ）は平面図、（ｃ）は側面図である。
【図１９】  本発明に係る光モジュールの構成例であるジャンパモジュールを示す図であって、（ａ）は出力側収納空間を示す正面図、（ｂ）は（ａ）に対する背面図であり入力側収納空間を示す。
【図２０】  本発明に係る光モジュールの構成例であるカプラモジュールを示す図であって、（ａ）は出力側収納空間を示す正面図、（ｂ）は（ａ）に対する背面図であり入力側収納空間を示す。
【図２１】  本発明に係る光モジュールの構成例であるカプラモジュールの別の構成例を示す図であって、（ａ）は出力側収納空間を示す正面図、（ｂ）は（ａ）に対する背面図であり入力側収納空間を示す。
【図２２】  本発明に係る光モジュールの配線口に嵌め込み収納される引留部品の一例を示す図であって、（ａ）は正面図、（ｂ）は側面図である。
【図２３】  本発明に係る光モジュールの配線口に嵌め込み収納される引留部品の他の例を示す図であって、（ａ）は正面図、（ｂ）は側面図である。
【図２４】  従来例の光配線ユニットとしての光配線盤を示す図であって、（ａ）は正面図、（ｂ）は側面図である。
【図２５】  従来例の光モジュールを示す図であって、（ａ）は平面図、（ｂ）は正面図、（ｃ）は光コネクタ側から見た側面図である。
【符号の説明】
２０…光モジュール、２０ａ…光モジュール（成端モジュール）、２０ｂ…光モジュール（ジャンパモジュール）、２０ｃ…光モジュール（カプラモジュール）、２４…ホルダ部、２５…ホルダ部，ホルダ取付部、２５ａ…ホルダ、２６…ホルダ部，ホルダ取付部、２８…ホルダ、２９…ホルダ部、３０…モジュール本体、３４…コネクタ取付壁、３５…配線口、３８…光部品（引留部品）、４０…光コネクタ（光コネクタアダプタ）、４１…光ファイバ、４３…光部品（分岐部）、８０…光配線ユニット、８３…光配線ユニット（接続ユニット）、８４…光配線ユニット（接続架体）、８５…ユニットフレーム、１０４…光ファイバ、１０８…ユニットフレーム、１１３…光部品（光カプラ）、１１４…光ファイバ、１１４ｂ…分岐光ファイバ、１１４ｅ…光部品（引留部材）。
【図１】
0004215938.tif 000002
【図２】
0004215938.tif 000003
【図３】
0004215938.tif 000004
【図４】
0004215938.tif 000005
【図５】
0004215938.tif 000006
【図６】
0004215938.tif 000007
【図７】
0004215938.tif 000008
【図８】
0004215938.tif 000009
【図９】
0004215938.tif 000010
【図１０】
0004215938.tif 000011
【図１１】
0004215938.tif 000012
【図１２】
0004215938.tif 000013
【図１３】
0004215938.tif 000014
【図１４】
0004215938.tif 000015
【図１５】
0004215938.tif 000016
【図１６】
0004215938.tif 000017
【図１７】
0004215938.tif 000018
【図１８】
0004215938.tif 000019
【図１９】
0004215938.tif 000020
【図２０】
0004215938.tif 000021
【図２１】
0004215938.tif 000022
【図２２】
0004215938.tif 000023
【図２３】
0004215938.tif 000024
【図２４】
0004215938.tif 000025
【図２５】
0004215938.tif 000026